(57)【要約】      （修正有）【課題】折り曲げ可能な１枚のシートで接着することなく箱を組み立てロックする。【解決手段】主板１と側板２〜５と固定用サイドフラップ７，８と、ロック用上フラップ１４，１５と、ロック用下フラップ１６，１７と、折り畳みサイドフラップ９ａ，９ｂ，１０ａ，１０ｂと蓋１１及び蓋フラップ１２とから箱シートＳを構成する。固定用サイドフラップ７，８を側板４の内側に位置するように側板２〜４を主板１に対して起立させ、トップフラップ６を箱内側に折り曲げ同時に箱内側に折れ曲がるロック用下フラップの上からロック用上フラップを折り曲げ、折り畳みサイドフラップが箱内側に入れながら側板４を起立させ、側板２〜４の起立をロックし、蓋フラップ１２ａを側板４に設けたスリット状開口部に挿入する事で蓋閉め及び蓋ロックが行われる。【選択図】図５
0003141481.tif 000002
【実用新案登録請求の範囲】
【請求項１】
矩形の主板と、前記主板の隣り合う３辺に折り筋を介して折り曲げられる矩形の第１〜第３の側板と、前記主板の第４辺に折り筋を介して折り曲げられる第４の側板と、前記第１〜第３の側板の内、第２の側板には、前記主板との折り筋の反対側辺に折り筋を介して折り曲げられるトップフラップと、該トップフラップの両側辺には折り筋を介して折り曲げられるロック用下フラップと、前記第１及び第３の側板の、前記第２の側板側辺には折り筋を介して固定用サイドフラップと、前記第１及び第３の側板側辺と前記第４の側板側辺には、前記主板の角を頂点とする折り筋を真ん中にして繋がった折り畳みサイドフラップと、前記第４の側板の前記主板折り筋の反対辺には折り筋を介して蓋とその先には折り筋を介して折り曲げられる蓋フラップと、前記第１及び第３の側板の前記主板との折り筋の反対側辺、及び前記第１及び第３の側板側辺に延接している側の折り畳みサイドフラップの第４の側板側辺の反対側辺の両方にまたがる折り筋を介して折り曲げられるロック用上フラップとを備え、前記第１及び第３の側板の固定用サイドフラップを前記第２の側板の内側に入るように前記第１、第２及び第３の側板を側辺を揃えて前記主板との折り筋より折り曲げ主板に対して起立させ、前記第２の側板に延接されたトップフラップで前記固定用サイドフラップの一部を第２の側板との間に挟み込むように該トップフラップを折り曲げ、それにつれて前記第１及び第３の側板の内側に折り曲げられた前記トップフラップの両側辺に延接されたロック用下フラップの上から、前記ロック用上フラップを折り筋を介して起立した３つの側板に囲まれた内側に折り込み、第４の側板を折り畳みサイドフラップが箱内側に入るように折り曲げながら主板に対して起立させると、前記ロック用上フラップがロック用下フラップを前記第１及び第３の側板との間に押さえ込み、かつ前記折り畳みサイドフラップに沿って直角に折れ曲がり該ロック用下フラップの動きが固定され箱の起立状態がロックされる事を特徴とする組み立て箱。
【請求項２】
前記側板２の中央に前記主板との折り筋に平行にスリット状開口部を備え、前記第１〜第３側板を前記主板に対して起立した時、前記第１の側板及び前記第３側板から延接された固定用サイドフラップが前記スリット状開口部の一部または全部を覆うように前記第２側板の内側に折り曲げられ、前記第４側板を前記主板に対して起立させ、前記蓋フラップを前記第２側板の外側から前記スリット状開口部に差し込むと該蓋フラップの先端は該第２側板と前記固定用サイドフラップの間に挟まれ固定される事を特徴とする請求項１記載の組み立て箱。
【考案の詳細な説明】
【技術分野】
【０００１】
折り曲げ可能な１枚のシートから、接着剤等を使わないで簡単に組み立てられる蓋付き箱に関する。
【背景技術】
【０００２】
書類や、ノート、筆記用具などを入れて持ち歩きが便利な主として透明プラスチックシートで作られた、一部ではハンドファイルとも呼ばれる書類入れが従来より販売されている（例えば特許文献１参照）。プラスチックシートは主としてポリプロピレン樹脂シートが使われており、接着による組み立てが難しいため１枚のシートの部分的な嵌合により箱の組み立てとロックを行っているものが多い。これら透明プラスチックシートで作られた書類入れの組み立てはエンドユーザーには難しいため完成品で販売される。又、前記書類入れの蓋はヒンジ方式であり、蓋のロックは蓋の先端部と箱本体部とを面ファスナーで止めたり、箱本体に固定したゴム紐で止めたりする方法が一般的であった。一方、このような書類入れを紙で作ることも試みられてきたが、箱本体部の組み立てに接着剤を使う作り方では、持ち歩きや繰り返される蓋の開閉時剥がれてしまう事を完全に防止する事は出来ず、又、プラスチックシートのような嵌合による組み立ても出来ないため実用化には至っていない。
【特許文献１】特開２０００−１０３４３０
【考案の開示】
【考案が解決しようとする課題】
【０００３】
本考案が解決しようとしている課題は、１枚の折り曲げ可能なシートから、接着剤を使うことなく簡単に組み立てられ、頑丈で、蓋は面ファスナーやゴム紐などを使うことなく、即ち箱本体に使用するシート以外に何も使わないで蓋を止める事が出来る安価な組み立て箱を提供する事にある。
【課題を解決するための手段】
【０００４】
第一の課題解決手段は、矩形の主板と、前記主板の隣り合う３辺に折り筋を介して折り曲げられる矩形の第１〜第３の側板と、前記主板の第４辺に折り筋を介して折り曲げられる第４の側板と、前記第１〜第３の側板の内、第２の側板には、前記主板との折り筋の反対側辺に折り筋を介して折り曲げられるトップフラップと、該トップフラップの両側辺には折り筋を介して折り曲げられるロック用下フラップと、前記第１及び第３の側板の、前記第２の側板側辺には折り筋を介して固定用サイドフラップと、前記第１及び第３の側板側辺と前記第４の側板側辺には、前記主板の角を頂点とする折り筋を真ん中にして繋がった折り畳みサイドフラップと、前記第４の側板の前記主板折り筋の反対辺には折り筋を介して蓋とその先には折り筋を介して折り曲げられる蓋フラップと、前記第１及び第３の側板の前記主板との折り筋の反対側辺、及び前記第１及び第３の側板側辺に延接している側の折り畳みサイドフラップの第４の側板側辺の反対側辺の両方にまたがる折り筋を介して折り曲げられるロック用上フラップとを備え、前記第１及び第３の側板の固定用サイドフラップを前記第２の側板の内側に入るように前記第１、第２及び第３の側板を側辺を揃えて前記主板との折り筋より折り曲げ主板に対して起立させ、前記第２の側板に延接されたトップフラップで前記固定用サイドフラップの一部を第２の側板との間に挟み込むように該トップフラップを折り曲げ、それにつれて前記第１及び第３の側板の内側に折り曲げられた前記トップフラップの両側辺に延接されたロック用下フラップの上から、前記ロック用上フラップを折り筋を介して起立した３つの側板に囲まれた内側に折り込み、第４の側板を折り畳みサイドフラップが箱内側に入るように折り曲げながら主板に対して起立させると、前記ロック用上フラップがロック用下フラップを前記第１及び第３の側板との間に押さえ込み、かつ前記折り畳みサイドフラップに沿って直角に折れ曲がり該ロック用下フラップの動きが固定され箱の起立状態がロックされるようにした組み立て箱とする。
【０００５】
第二の課題解決手段は、前記側板２の中央に前記主板との折り筋に平行にスリット状開口部を備え、前記第１〜第３側板を前記主板に対して起立した時、前記第１の側板及び前記第３側板から延接された固定用サイドフラップが前記スリット状開口部の一部または全部を覆うように前記第２側板の内側に折り曲げられ、前記第４側板を前記主板に対して起立させ、前記蓋フラップを前記第２側板の外側から前記スリット状開口部に差し込むと該蓋フラップの先端は該第２側板と前記固定用サイドフラップの間に挟まれ固定される用にした請求項１記載の組み立て箱とする。
【考案の効果】
【０００６】
考案の効果は次の通りである。即ち、前記第２の側板先端に延接されたトップフラップが前記第１及び第３の側板側辺に延接された固定用サイドフラップを押さえ込むように折り曲げられ、同時に箱内側に折り曲げられた該トップフラップの両側辺に延接されたロック用下フラップを前記第１及び第３の側板先端に延接されたロック用上フラップを折り曲げる事で押さえ込み、ロック用上フラップは第１及び第３の第４の側板側の側辺に延接された折り畳みサイドフラップとも繋がっているため、第４の側板を起立させる（即ち、蓋締めに向かう）と折り畳みサイドフラップはロック用上フラップとともに第１及び第３の側板側辺の折り筋から直角に折れ曲がり、動きが制限され固定される。この事で固定用フラップはトップフラップの下で固定され、トップフラップに延接されたロック用下フラップはロック用上フラップに固定され、箱の起立が完全にロックされる。即ち、一切接着剤を使うことなく簡単に箱の起立及び固定が行える。
【０００７】
前記第４の側板を折り畳みサイドフラップを箱内側に入るようにして前記主板に対して起立させ、該側板先端に延接された蓋を折り曲げ、その先端に延接された蓋フラップを前記第２の側壁中央に設けたスリット状開口部に挿入すれば、固定用サイドフラップがガイド板になって蓋フラップを第２の側板に沿って奥まで差し込まれる様になり、蓋フラップはガイドに沿って差込み易く、固定される。しかし勿論蓋フラップは簡単に引き出す事も出来る。即ち、この蓋の止め方を可能にしたのがスリット状開口部の下に固定用サイドフラップがガイドになっているからに他ならない。この種の箱では、通常蓋の固定、ロックは面ファスナーやゴム紐など箱素材とは別物を用いて行うしかないが、本考案によれば厚紙やプラスチックシートなど反発力の強いシート素材でも、シート素材のみで蓋フラップを固定出来るようになる。即ち、前記の箱の起立及び固定に重要な役割を持っている固定用サイドフラップがこの蓋フラップの挿入及び固定をも担っている。  
【０００８】
以上のように、本考案により折り曲げ可能な１枚の厚紙やプラスチックシートで、接着剤や複雑な嵌め込みなどを用いずに、箱の起立と固定が出来、面ファスナーやゴム紐などを用いずに前記シートだけで蓋の固定が出来るようになる。本考案によれば製造工程はシートの打ち抜きだけであり、必要により組み立てて出荷すればよく、安価で、頑丈で、見栄えが綺麗である。このため、持ち運び用の書類入れは勿論のこと、高級ファッション衣類などの容器として最適である。
【考案を実施するための最良の形態】
【０００９】
図１はＥフルート段ボール紙の１枚物からなる箱の展開平面図である。点線は折り筋を、実線は切断線を示す。このＥフルート段ボールシートＳは、裏面を上面にしている。シートＳは矩形の主板１と、この四辺に折り筋２２，２３，２１，２４を介して側板２，３，４，５が延接され本箱の基本構造を成す。
【００１０】
図２は側板２，３，４を主板１に対して起立させ、固定用サイドフラップ７，８を側板４の手前に折り曲げた所を示す斜視図である。図２以降、折り筋も実線で示す。側板２，３の起立により折り畳みサイドフラップ９，１０もほぼ直立する。図２に於いて、折り筋４１を介してトップフラップ６を手前（内側）に折り曲げる。この時、該トップフラップ側辺に延接されたロック用下フラップ１６，１７を折り筋３１，３２を介して該トップフラップ６と共に内側に折り曲げる。この結果が図３の斜視図に示される。尚、ここでは、起立という言葉は全て、主板１に対して使う事とする。
【００１１】
図３では折り曲げられたトップフラップ６が固定用サイドフラップ７，８の頂部を第２の側板４との間に挟み込み、トップフラップ６の側辺に延接されたロック用下フラップ１７が第３の側板３に接している（ロック用したフラップ１６は隠れて見えていない）。ロック用上フラップ１４，１５は起立した状態である。この図３の状態から、折り筋３５，３６を介してロック用上フラップ１４，１５を内側に折り曲げると図４の斜視図の状態になる。この結果、ロック用上フラップ１６，１７は第１の側板２及び第３の側板３との間にロック用上フラップ１４，１５に押さえられる（ロック用下フラップ１６がロック用上フラップ１４に押さえられた状態は隠れて見えない）。図４の状態で、基本的に箱は起立をする。
【００１２】
図４の状態から、折り畳みサイドフラップ９，１０が折り筋２９，３０を介して内側に入るように、折り筋２４を介して第４の側板５を起立させる途中の斜視図が図５である。
折り畳みサイドフラップ９，１０を内側に入るように第４の側板５を起立させていくと、図４で示す折り畳みサイドフラップ９，１０が折り筋２６，２８から直角に折れだし、今まで同一平面上にあった第１の側板２と折り畳みサイドフラップ９ａ、及び第３の側板３と折り畳みサイドフラップ１０ａが直角になっていく。この事に従って同様に、ロック用上フラップ１４，１５は１４ａと１４ｂで、また１５ａと１５ｂとで平面同士から直角に折れ曲がっていく。ロック用上フラップは直角に折れ曲がり、全く動きがとれなくなる。その結果ロック用下フラップ１６，１７を第１の側板２及び第３の側板３との押さえ込み固定する事になる。ロック用下フラップ１６，１７はトップフラップ６と直角になって繋がっており、トップフラップ６は第２の側板４と繋がっておりかつ、固定用サイドフラップ７，８を押さえ込んでいるため、第４の側板５を起立させると、箱の起立状態は完全にロックされる。
【００１３】
起立した箱のロックは図２、図３、図４、図５のＸ１，Ｘ２，Ｘ３，Ｘ４に示すＸ断面の変化で説明する事が出来る。ロックの過程は第１の側板２、第２の側板４、第３の側板３、トップフラップ６、固定用サイドフラップ７，８、ロック用下フラップ１６，１７、ロック用上フラップ１４，１５、折り畳みサイドフラップ９ａ，１０ａの重なり方の変化をＸ断面の変化で示したのが図１０〜図１２である。分かりやすくするため断面Ｘには第４の側板５及びサイドフラップ９ｂ，１０ｂは入らないようにしてある。第９図では側板４に固定用フラップ８を重ねた状況の断面を示す。第１０図ではトップフラップ６を内側（手前側）に折り曲げ固定用フラップ８を挟み込み、同時にトップフラップの側辺に延接されたロック用下フラップ１７が内側に側板３に接している状況の断面を示す。第１１図はロック用上フラップを内側に折り曲げ、ロック用下フラップに接している状況の断面を示す。第１２図は、折り畳みサイドフラップ１０を内側にして側板５の起立により折り畳みサイドフラップ１０ａが側板３に対して直角に曲がる事によりロック用上フラップ１５ｂも直角に折れ曲がりロック用下フラップを押さえ込んでいる状況の断面を示す。これでロック用下フラップは完全に動く事が出来ず、従って側板４、３は起立状態が固定された事が分かる。分かりやすくするため断面Ｘには第４の側板５及びサイドフラップ９ｂ，１０ｂは入らないようにしてある。
【００１４】
第６図は第４の側板５を前記主板１に対して完全に直角に起立させた状態を示した斜視図である。図７は蓋フラップ１２の先端１２ｂを第４の側板４に開いたスリット状開口部に挿入した状態を示す斜視図である。スリット状開口部に挿入された蓋フラップ先端１２ｂは第２の側板４とその裏にある固定用フラップとの間に挟まれ固定される。蓋フラップ先端が箱の収容空間を占拠するような事がないようになっている。この事を説明するのが
図８である。図８は図７の完全に蓋フラップ１２ｂが挿入され蓋閉めされた状態で、箱内部より側板４側を観察した状態を示す。スリット状開口部から蓋フラップ１２ｂが飛び出し、これを左右の固定用フラップが押さえている事を示す。斜線部Ｈ１，Ｈ２がその重なり部を示す。
【図面の簡単な説明】
【００１５】
【図１】展開平面図
【図２】組み立て途中斜視図１
【図３】組み立て途中斜視図２
【図４】組み立て途中斜視図３
【図５】組み立て途中斜視図４
【図６】組み立て途中斜視図５
【図７】組み立て完成図
【図８】蓋フラップ挿入状態図
【図９】Ｘ１断面図
【図１０】Ｘ２断面図
【図１１】Ｘ３断面図
【図１２】Ｘ４断面図
【符号の説明】
【００１６】
Ｓ              箱シート                                              
Ｈ              蓋フラップと固定用フラップの重なり部
Ｘ              断面
１              主板
２〜５          側板
６              トップフラップ
７，８          固定用サイドフラップ
９，１０        折り畳みサイドフラップ
１１            蓋
１２            蓋フラップ
１４，１５      ロック用上フラップ
１６，１７      ロック用下フラップ
１８            スリット状開口部
２１〜４２      折り筋
【図１】
0003141481.tif 000003
【図２】
0003141481.tif 000004
【図３】
0003141481.tif 000005
【図４】
0003141481.tif 000006
【図５】
0003141481.tif 000007
【図６】
0003141481.tif 000008
【図７】
0003141481.tif 000009
【図８】
0003141481.tif 000010
【図９】
0003141481.tif 000011
【図１０】
0003141481.tif 000012
【図１１】
0003141481.tif 000013
【図１２】
0003141481.tif 000014